(57)【特許請求の範囲】
【請求項１】
周波数帯域の異なる複数の信号を混合して出力する混合器であって、
所定の周波数帯域の第一の信号の入力を受け付け可能な第一の入力端子と、
前記第一の信号とは異なる所定の周波数帯域の第二の信号の入力を受け付け可能な第二の入力端子と、
前記第一の入力端子に入力された第一の信号と前記第二の入力端子に入力された第二の信号とを混合可能な混合手段と、
前記第一の信号又は前記混合手段で混合された信号を出力可能であると共に、所定機器に供給するための電圧の入力を受け付け可能な第一の出力端子と、
前記第二の信号を出力可能な第二の出力端子と、
前記第一の入力端子から前記混合手段に至る第一の伝送路と、
前記第二の入力端子から前記混合手段に至る第二の伝送路と、
前記第二の入力端子から前記第二の出力端子に至る第三の伝送路と、
前記第二の伝送路と前記第三の伝送路とを相互に切替えるための混合経路切替え手段と、
前記第一の出力端子と前記第一の伝送路とを接続し、前記第一の出力端子に入力された電圧を前記第一の伝送路に供給する第四の伝送路と、
前記第一の伝送路と前記第二の伝送路とを接続し、前記第一の伝送路に供給された電圧を前記第二の伝送路を介して前記第二の入力端子に伝送可能な電源供給部と、
を備えたことを特徴とする混合器。
【請求項２】
前記電源供給部による前記第一の伝送路と前記第二の伝送路との接続を切替えるための電圧供給経路切替え手段、
を備えたことを特徴とする請求項１に記載の混合器。
【請求項３】
当該混合器を、前記第一の信号と前記第二の信号との混合信号を分波するための分波器として使用する場合において、
前記混合経路切替え手段が、前記第二の入力端子から前記第三の伝送路を切り離し、当該第二の入力端子に前記第二の伝送路を接続した状態にするのと同時に、前記電源供給経路切替え手段が、前記電源供給部による前記第一の伝送路と前記第二の伝送路との接続を切り離した状態とし、
前記第一の出力端子は前記第一の信号と前記第二の信号との混合信号の入力を受け付け可能であり、
前記混合手段は、前記第一の出力端子に入力された前記混合信号を、前記第一の伝送路と前記第二の伝送路に分波し、
前記第一の伝送路は前記第一の信号のみを通過させ、
前記第二の伝送路は前記第二の信号のみを通過させ、
前記第一の入力端子は、前記第一の伝送路を通過した前記第一の信号を出力可能であると共に、所定機器に供給するための電圧の入力を受け付け可能であり、
前記第二の入力端子は前記第二の伝送路を通過した前記第二の信号を出力可能であり、
前記第四の伝送路は、前記第一の入力端子に入力された電圧を前記第一の出力端子に供給する、
請求項２に記載の混合器。
【請求項４】
前記第一の伝送路は、ＢＳ信号及び又はＣＳ信号のみを通過させ、
前記第二の伝送路は、ＶＨＦ信号及び又はＵＨＦ信号のみを通過させること、
を特徴とする請求項１から３のいずれか一項に記載の混合器。
【請求項５】
前記第四の伝送路、及び前記電源供給部は、所定の直流電圧を伝送可能なこと、
を特徴とする請求項１から４のいずれか一項に記載の混合器。
【発明の詳細な説明】
【技術分野】
【０００１】
本発明は、周波数帯域の異なる複数の信号を混合して出力する混合器に関する。
【背景技術】
【０００２】
従来から、周波数帯域の異なる複数の信号を共通の伝送路を介して送信するため、これら複数の信号を混合して１つの信号にするための各種の混合器が用いられている。例えば、図６には、テレビ信号を共同受信して集合住宅内の各戸に分配する共聴システムの構成を示す。この図６において従来の共聴システムは、概略的に、ＶＨＦアンテナ１００、ＵＨＦアンテナ１０１、ＢＳ・ＣＳアンテナ１０２、ＶＨＦ・ＵＨＦ混合器（以下、混合器）１０３、ＢＳ・ＣＳプリアンプ１０４、ＶＨＦ・ＵＨＦ／ＢＳ・ＣＳ混合器（以下、混合器）１０５、ブースタ１０６、分配器１０７、及び、テレビ受像機１０８を備え、これら各部を伝送路Ｄ１００〜Ｄ１０６で接続して構成されている。
【０００３】
このような構成において、ＶＨＦアンテナ１００にて受信されたＶＨＦ信号と、ＵＨＦアンテナ１０１にて受信されたＵＨＦ信号とが、混合器１０３にて混合されてＶＨＦ・ＵＨＦ信号が生成される。このように生成されたＶＨＦ・ＵＨＦ信号と、ＢＳ・ＣＳアンテナ１０２にて受信されＢＳ・ＣＳプリアンプ１０４にて減衰補償されたＢＳ・ＣＳ信号とが、混合器１０５にてさらにＶＨＦ・ＵＨＦ／ＢＳ・ＣＳ信号に混合され、このＶＨＦ・ＵＨＦ／ＢＳ・ＣＳ信号が、ブースタ１０６にて増幅された後、分配器１０７を介して各住戸に宛てて分配される。このように分配された信号は、各住戸に設けられたテレビ受信機１０８に入力され、視聴が行われる。
【０００４】
ここで、ＢＳ・ＣＳアンテナ１０２には、ＢＳ・ＣＳ信号を低周波数帯域に変換するためのコンバータ１０９が設けられている。そして、このコンバータ１０９を駆動させるため、ブースタ１０６又はテレビ受像機１０８から直流電圧が重畳される。この直流電圧は、混合器１０５を介してＢＳ／ＣＳアンテナ側にのみ通過され、伝送路Ｄ１０３を介してコンバータ１０９に供給される。
【０００５】
このように供給される直流電圧を通過させるため、混合器１０５は、いわゆる電流通過型の混合器として構成されている。図７は、このような従来の電流通過型の混合器１０５の構成を示す図である。この図７において、混合器１０５は、２つの入力端子１０５ａ、１０５ｂ、出力端子１０５ｃ、ローパスフィルタ（以下、ＬＰＦ）１０５ｄ、ハイパスフィルタ（以下、ＨＰＦ）１０５ｅ、混合部１０５ｆ、コンデンサＣ１００〜Ｃ１０３、及び、チョークコイルＣＣ１００、ＣＣ１０１を備えて構成されていた。
【０００６】
このような構成において、入力端子１０５ａに入力されたＶＨＦ・ＵＨＦ信号がＬＰＦ１０５ｄを通過し、また入力端子１０５ｂに入力されたＢＳ・ＣＳ信号がＨＰＦ１０５ｅを通過して、これらが混合されることによってＶＨＦ・ＵＨＦ／ＢＳ・ＣＳ信号が生成されて、出力端子１０５ｃから出力されていた。一方、下流側から出力端子に入力された電圧は、伝送路Ｄ１００を介して入力端子１０５ｂから上流側に出力されていた。この際、入力端子１０５ｂと出力端子１０５ｃとの間における高周波成分（ＵＨＦ信号やＶＨＦ信号）の回り込みがチョークコイルＣＣ１００、ＣＣ１０１及びコンデンサＣ１０３によって防止されると共に、電圧がＬＰＨ又はＨＰＦに入り込むことがコンデンサＣ１００〜Ｃ１０２によって防止されていた。
【０００７】
ここで、近年、地上波デジタル放送が開始され、この地上波デジタル放送を視聴するための地上波デジタル信号がＵＨＦアンテナにて受信される。しかしながら、この地上波デジタル信号は、従来のアナログ信号に比べて低いレベルで放送されているため、山間部等の弱電界地区では、地上波デジタル信号を受信できない可能性がある。特に、アナログ信号の受信時には、信号が一部欠落等してもテレビ画像にノイズとなって現れるにすぎないことが多いが、地上波デジタル信号は、デジタル信号であるが故に、その信号の欠落等がそのまま視聴障害にそのままつながる可能性が高く、地上波デジタル信号を適切に受信して受像機に送信できる受信システムを構築することが一層強く要望される。
【０００８】
このため、従来から、図６に示すように、ＵＨＦアンテナの下流側にＵＨＦプリアンプ１１０を設け、低レベルで受信された地上波デジタル信号を補償することが提案されていた。また、このように設けたＵＨＦプリアンプ１１０に電源を供給するため、このＵＨＦプリアンプ１１０の下流直近に、商用電源１１１と、この商用電源１１１の電圧をＵＨＦプリアンプ１１０の定格電圧に降圧する電源供給器１１２とを設置し、これら商用電源１１１及び電源供給器１１２を介してＵＨＦプリアンプ１１０に電源を供給していた。例えば、特許文献１には、ＵＨＦプリアンプへの電源供給に関するものではないが、ＵＨＦアンテナの下流直近に電源供給部を設けた例が開示されている（特許文献１参照）。
【０００９】
【特許文献１】特開２００４−３３６２５７号公報
【発明の開示】
【発明が解決しようとする課題】
【００１０】
しかしながら、このようにＵＨＦアンテナの下流直近に商用電源や電源供給部を設けるためには、商用電源を新設するために建屋の躯体に対して電気工事を行う必要がある等、受信システムの設置が大規模かつ複雑になり、施工コストや施工期間を増大させる一因になっていた。このため、新たに商用電源や電源供給部を設けることなく、ＵＨＦプリアンプに電源を供給することができる受信システムを構築することが要望されていた。
【００１１】
本発明は、上記に鑑みてなされたものであって、ＵＨＦプリアンプ等の地上波デジタル受信設備に電源を供給することができる、電流通過型の混合器を提供することを目的とする。
【課題を解決するための手段】
【００１２】
上述した課題を解決し、目的を達成するために、請求項１に記載の混合器は、周波数帯域の異なる複数の信号を混合して出力する混合器であって、所定の周波数帯域の第一の信号の入力を受け付け可能な第一の入力端子と、前記第一の信号とは異なる所定の周波数帯域の第二の信号の入力を受け付け可能な第二の入力端子と、前記第一の入力端子に入力された第一の信号と前記第二の入力端子に入力された第二の信号とを混合可能な混合手段と、前記第一の信号又は前記混合手段で混合された信号を出力可能であると共に、所定機器に供給するための電圧の入力を受け付け可能な第一の出力端子と、前記第二の信号を出力可能な第二の出力端子と、前記第一の入力端子から前記混合手段に至る第一の伝送路と、前記第二の入力端子から前記混合手段に至る第二の伝送路と、前記第二の入力端子から前記第二の出力端子に至る第三の伝送路と、前記第二の伝送路と前記第三の伝送路とを相互に切替えるための混合経路切替え手段と、前記第一の出力端子と前記第一の伝送路とを接続し、前記第一の出力端子に入力された電圧を前記第一の伝送路に供給する第四の伝送路と、前記第一の伝送路と前記第二の伝送路とを接続し、前記第一の伝送路に供給された電圧を前記第二の伝送路を介して前記第二の入力端子に伝送可能な電源供給部とを備えたことを特徴とする。
【００１３】
また、請求項２に記載の混合器は、請求項１に記載の混合器において、前記電源供給部による前記第一の伝送路と前記第二の伝送路との接続を切替えるための電圧供給経路切替え手段を備えたことを特徴とする。
【００１４】
また、請求項３に記載の混合器は、請求項２に記載の混合器において、当該混合器を、前記第一の信号と前記第二の信号との混合信号を分波するための分波器として使用する場合において、前記混合経路切替え手段が、前記第二の入力端子から前記第三の伝送路を切り離し、当該第二の入力端子に前記第二の伝送路を接続した状態にするのと同時に、前記電源供給経路切替え手段が、前記電源供給部による前記第一の伝送路と前記第二の伝送路との接続を切り離した状態とし、前記第一の出力端子は前記第一の信号と前記第二の信号との混合信号の入力を受け付け可能であり、前記混合手段は、前記第一の出力端子に入力された前記混合信号を、前記第一の伝送路と前記第二の伝送路に分波し、前記第一の伝送路は前記第一の信号のみを通過させ、前記第二の伝送路は前記第二の信号のみを通過させ、前記第一の入力端子は、前記第一の伝送路を通過した前記第一の信号を出力可能であると共に、所定機器に供給するための電圧の入力を受け付け可能であり、前記第二の入力端子は前記第二の伝送路を通過した前記第二の信号を出力可能であり、前記第四の伝送路は、前記第一の入力端子に入力された電圧を前記第一の出力端子に供給する。
【００１５】
また、請求項４に記載の混合器は、請求項１から３のいずれか一項に記載の混合器において、前記第一の伝送路は、ＢＳ信号及び又はＣＳ信号のみを通過させ、前記第二の伝送路は、ＶＨＦ信号及び又はＵＨＦ信号のみを通過させることを特徴とする。
【００１６】
また、請求項５に記載の混合器は、請求項１から４のいずれか一項に記載の混合器において、前記第四の伝送路、及び前記電源供給部は、所定の直流電圧を伝送可能なことを特徴とする。
【発明の効果】
【００１９】
本発明によれば、出力端子に入力された電圧を第一の入力端子のみならず第二の入力端子にも伝送でき、この第二の入力端子の上流に接続されたＵＨＦプリアンプに対して電源供給を行うことができる。従って、ＵＨＦプリアンプの下流直近に商用電源や電源供給器を配置する必要がなくなるので、受信システムを一層簡易かつ短期間で構築することができる。
【００２０】
また、本発明によれば、一つの電源供給部を介して第一の入力端子のみならず第二の入力端子にも電圧を伝送できるので、電源供給部を複数設けることが不要になり、混合器を一層簡易に構成することができる。
【００２１】
また、本発明によれば、第二の伝送路に対して電源供給部の接続を切替えることにより、ＵＨＦプリアンプに対する電圧の供給の有無を任意の切替えることができて、混合器の使用形態に応じて電圧の供給形態を切替えることができる。
【００２２】
また、本発明によれば、第一の信号と第二の信号との混合経路を切替えることができるので、混合器の使用形態に応じて信号の混合形態を切替えることができる。
【発明を実施するための最良の形態】
【００２３】
以下に添付図面を参照して、この発明に係る混合器の各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２４】
〔I〕各実施の形態に共通の基本的概念
まず、各実施の形態に共通の基本的概念について説明する。各実施の形態に係る混合器は、周波数帯域の異なる複数の信号を混合して出力するものである。この信号の種類は任意であるが、以下では、テレビ信号を混合する場合について説明する。
【００２５】
この混合器の特徴の一つは、ＵＨＦプリアンプに電源を供給可能に構成されていることにある。すなわち、従来の混合器は、ブースタ又はテレビから出力された電圧を、ＢＳ／ＣＳアンテナ側にのみ通過させてコンバータに供給していたが、この電圧をＵＨＦアンテナ側に通過させることができなかった。これは、従来の混合器は、電圧の通過経路をＢＳ／ＣＳアンテナ側にのみ備えていたためであるが、それ以前に、混合器を介してＵＨＦアンテナ側に電源を供給するという発想自体がなかったためである。これに対して各実施の形態に係る混合器は、電圧の通過経路をＵＨＦアンテナ側にも備えており、これによってＵＨＦアンテナに電源を供給可能とすることで、ＵＨＦアンテナの下流直近に配置していた商用電源や電源供給部を省略することを可能としている。また、従来の混合器としては、交流電源にて駆動するものしか提案されておらず、ブースタ又はテレビから供給された直流電源にて駆動することができなかったので、この点についても各実施の形態では改良が施されている。
【００２６】
また、実施の形態２以降の各実施の形態における混合器は、電源の供給経路や供給の有無を切替えるための各種の切替え手段を備えている。従って、必要に応じて電源供給を遮断すること等ができる。
【００２７】
なお、以下の説明においては、混合器の接続端子を、便宜上、入力端子や出力端子として説明するが、出力端子に電圧が入力されたり、入力端子から電圧が出力されることがあり、あるいは、混合器を分波器として使用する場合には、出力端子に信号が入力されたり、入力端子から信号が出力されることがあり得る。すなわち、入力端子における「入力」の語や、出力端子における「出力」の語は、電圧や信号の入出力の方向を厳密に制限することを意図するものではなく、その方向については特記なき限りにおいて任意であるものとする。また、以下の説明においては、各アンテナに近い方を「上流」、テレビ受信機に近い方を「下流」として説明する。
【００２８】
〔II〕各発明の実施の形態
次に、各実施の形態の具体的内容について説明する。
【００２９】
〔実施の形態１〕
まず、本発明の実施の形態１について説明する。図１は、実施の形態１に係る混合器を用いた共聴システムの構成を示す図である。この図１に示すように、共聴システムは、概略的には従来と同様に、ＶＨＦアンテナ１、ＵＨＦアンテナ２、ＢＳ・ＣＳアンテナ３、ＶＨＦ・ＵＨＦ混合器（以下、単に混合器）４、ＢＳ・ＣＳプリアンプ５、ＶＨＦ・ＵＨＦ／ＢＳ・ＣＳ混合器（以下、単に混合器）６、ブースタ７、分配器８、及び、テレビ受像機９を備え、これら各部を伝送路Ｄ１〜Ｄ６で図示のように接続して構成されている。
【００３０】
このような構成において、ＶＨＦアンテナ１にて受信されたＶＨＦ信号と、ＵＨＦアンテナ２にて受信されたＵＨＦ信号とは、混合器４にて１つのＶＨＦ・ＵＨＦ信号に混合される。このように混合されたＶＨＦ・ＵＨＦ信号と、ＢＳ・ＣＳアンテナ３にて受信されＢＳ・ＣＳプリアンプ５にて減衰補償されたＢＳ・ＣＳ信号とは、混合器６にてさらに１つのＶＨＦ・ＵＨＦ／ＢＳ・ＣＳ信号に混合され、増幅器にて増幅された後、分配器８を介して各住戸に宛てて分配される。このように分配された信号は、各住戸のテレビ受像機９に入力され、視聴が行われる。
【００３１】
ここで、ＢＳ・ＣＳアンテナ３には、ＢＳ・ＣＳ信号を低周波数帯域に変換するためのコンバータ１０が設けられている。そして、このコンバータ１０を駆動させるため、ブースタ７又はテレビ受像機９から直流電圧が出力される。この直流電圧は、混合器６においてＢＳ・ＣＳアンテナ３に向かう側に通過され、ＢＳ・ＣＳプリアンプ５を介してコンバータ１０に供給される。
【００３２】
また、ＵＨＦアンテナ２の下流直近には、ＵＨＦプリアンプ１１が設けられている。そして、ＵＨＦアンテナ２にて低レベルで受信された地上波デジタル信号がＵＨＦプリアンプ１１によって増幅された後、下流側に供給される。ここで、このＵＨＦプリアンプ１１は、ブースタ７又はテレビ受像機９から供給された直流電圧にて駆動可能なよう、直流駆動タイプとして構成されている。このように直流駆動可能とするための具体的構成は任意である。
【００３３】
ここで、混合器６は、ブースタ７又はテレビ受像機９から供給された直流電圧を、従来と同様にＢＳ・ＣＳアンテナ３に向けて通過させることに加えて、ＵＨＦプリアンプ１１に向けて通過可能な、電流通過型混合器として構成されている。また、混合器４は、混合器６を通過して供給された直流電圧を、ＵＨＦプリアンプ１１に向けて通過可能な、電流通過型混合器として構成されている。ただし、これら混合器４、６において、直流電圧をＵＨＦアンテナ２に向けて通過可能とするための構成は共通であるため、以下の説明においては、混合器６の構成を例にとって説明する（以下の説明文中、ＢＳ・ＣＳ信号をＶＨＦ信号と読み替え、ＶＨＦ・ＵＨＦ信号をＵＨＦ信号と読み替えることで、混合器４の構成の説明とすることができる。他の実施の形態においても同じ）。
【００３４】
図２は、図１の混合器６のブロック図である。この図２に示すように混合器６は、２つの入力端子６１、６２、混合部６３、ローパスフィルタ（以下、ＬＰＦ）６４、ハイパスフィルタ（以下、ＨＰＦ）６５、出力端子６６、コンデンサＣ６１〜Ｃ６５、及び、チョークコイルＣＣ６１〜ＣＣ６４を備え、これらを伝送路Ｄ６１〜Ｄ６５にて図示のように接続して構成されている。
【００３５】
このうち、入力端子６１は、所定の周波数帯域の第一の信号（ここでは、ＶＨＦ信号及びＵＨＦ信号）の入力を受け付け可能な端子であり、特許請求の範囲における第一の入力端子に対応する。また、入力端子６２は、第一の信号とは異なる所定の周波数帯域の第二の信号（ここでは、ＢＳ・ＣＳ信号）の入力を受け付け可能な端子であり、特許請求の範囲における第二の入力端子に対応する。また、混合部６３は、入力端子６１に入力されたＶＨＦ・ＵＨＦ信号と、入力端子６２に入力されたＢＳ・ＣＳ信号とを混合可能なもので、特許請求の範囲における混合手段に対応する。具体的には、この混合部６３は、伝送路Ｄ６２、６３が接続されて伝送路Ｄ６１に至る接続点として構成されている。
【００３６】
また、ＬＰＦ６４は、所定の低周波数帯域の信号（ここでは、ＶＨＦ信号及びＵＨＦ信号）のみを通過させる周波数帯域制限手段であり、伝送路Ｄ６３に配置されている。また、ＨＰＦ６５は、所定の高周波数帯域の信号（ここでは、ＢＳ・ＣＳ信号）のみを通過させる周波数帯域制限手段であり、伝送路Ｄ６２に配置されている。また、出力端子６６は、混合部で混合されたＶＨＦ・ＵＨＦ／ＢＳ・ＣＳ信号を出力可能であると共に、ＵＨＦプリアンプ１１に供給するための電圧の入力を受け付け可能な端子であり、特許請求の範囲における出力端子に対応する。このような構成によれば、入力端子６１に入力されてＬＰＦ６４を通過したＶＨＦ・ＵＨＦ信号と、入力端子６２に入力されてＨＰＦ６５を通過したＢＳ・ＣＳ信号とが、混合部６３にて混合されることによってＶＨＦ・ＵＨＦ／ＢＳ・ＣＳ信号が生成され、出力端子６６を介して外部に出力される。
【００３７】
また、伝送路Ｄ６１の下流側の端部近傍位置と、伝送路Ｄ６２の上流側の端部近傍位置とは、伝送路Ｄ６４によって接続されている。従って、出力端子６６に入力された電圧が、この伝送路Ｄ６４を介して入力端子６２に出力される。このため、従来の混合器と同様に、直流電圧を図１のコンバータ１０に供給することができる。特に、この伝送路Ｄ６４には、コンデンサＣ６４とチョークコイルＣＣ６１、ＣＣ６２とが図示のように配置されている。このため、ＶＨＦ信号やＵＨＦ信号の如き高周波成分がこの伝送路Ｄ６４に回り込むことを防止でき、信号障害が生じることを防止できる。
【００３８】
さらに本実施の形態１において、伝送路Ｄ６１の下流側の端部近傍位置と、伝送路Ｄ６３の上流側の端部近傍位置とは、伝送路Ｄ６５によって接続されている。従って、出力端子６６に入力された電圧が、この伝送路Ｄ６５を介して入力端子に出力される。このため、直流電圧を図１のＵＨＦプリアンプ１１に向けて伝送でき、このＵＨＦプリアンプ１１に対する電源供給を行うことができるので、ＵＨＦプリアンプ１１の下流直近に商用電源や電源供給器を別途に配置する必要がなくなり、受信システムを一層簡易かつ短期間で構築することができる。
【００３９】
特に、この伝送路Ｄ６５には、伝送路Ｄ６４と同様に、コンデンサＣ６５とチョークコイルＣＣ６３、ＣＣ６４とが図示のように配置されている。このため、ＶＨＦ信号やＵＨＦ信号の如き高周波成分がこの伝送路Ｄ６５に回り込むことを防止でき、信号障害が生じることを防止できる。なお、ＵＨＦプリアンプ１１に向けて伝送する直流電圧の具体的な値は、直流電圧のブースタ７又はテレビ受像機９により決まるが、例えば、１１〜１５ｖであり、ＵＨＦプリアンプ１１は、この直流電圧値で駆動するよう設計される。
【００４０】
このように実施の形態１によれば、ＶＨＦ・ＵＨＦ信号と、ＢＳ・ＣＳ信号とが混合されてＶＨＦ・ＵＨＦ／ＢＳ・ＣＳ信号が生成され、出力端子６６を介して出力される。また、従来の混合器と同様に、直流電圧をコンバータ１０に供給することができる。特に、ＶＨＦ信号やＵＨＦ信号の如き高周波成分が伝送路Ｄ６４に回り込むことを防止でき、信号障害が生じることを防止できる。さらに、直流電圧をＵＨＦプリアンプ１１に向けて伝送でき、このＵＨＦプリアンプ１１に対する電源供給を行うことができるので、ＵＨＦプリアンプ１１の下流直近に商用電源や電源供給器を配置する必要がなくなり、受信システムを一層簡易かつ短期間で構築することができる。特に、ＶＨＦ信号やＵＨＦ信号の如き高周波成分が伝送路Ｄ６５に回り込むことを防止でき、信号障害が生じることを防止できる。
【００４１】
〔実施の形態２〕
次に、本発明の実施の形態２について説明する。実施の形態２は、混合器の下流側に接続する機器の種類に応じた複数の出力端子を設けた点、及び、混合器に接続する機器やその使用形態に応じて、信号の混合形態や電圧の供給形態を切り替えることができる点において、実施の形態１と異なるものである。
【００４２】
図３は、実施の形態２に係るＶＨＦ・ＵＨＦ／ＢＳ・ＣＳ混合器（以下、混合器）７０の構成を示す図である。この図３に示すように、混合器７０は、概略的には、２つの入力端子７１、７２、混合部７３、２つのローパスフィルタ（以下、ＬＰＦ）７４、７５、ハイパスフィルタ（以下、ＨＰＦ）７６、２つの出力端子７７、７８、コンデンサＣ７１、Ｃ７２、Ｃ７３、Ｃ７４、チョークコイルＣＣ７１、ＣＣ７２、ＣＣ７３、ＣＣ７４、及び、２つの切替えスイッチＳＷ１、ＳＷ２を備え、これらを伝送路Ｄ７１〜Ｄ７６にて図示のように接続して構成されている。なお、入力端子７１、７２、混合部７３、ＬＰＦ７４、ＨＰＦ７６は、それぞれ実施の形態１における入力端子６１、６２、混合部６３、ＬＰＦ６４、ＨＰＦ６５と略同様に機能するものであり、その説明を省略する。
【００４３】
このうち、出力端子７７は、入力端子７２に入力されたＢＳ・ＣＳ信号又は混合部７３で混合されたＶＨＦ・ＵＨＦ／ＢＳ・ＣＳ信号を出力可能であると共に、ＵＨＦプリアンプ１１及びＢＳ・ＣＳコンバータ１０に供給するための電圧の入力を受け付け可能な端子であり、特許請求の範囲における第一の出力端子に対応する。また、出力端子７８は、入力端子７１に入力されたＶＨＦ・ＵＨＦ信号を出力可能な端子であり、特許請求の範囲における第二の出力端子に対応する。また、ＬＰＦ７５は、所定の低周波数帯域の信号（ここでは、ＶＨＦ信号及びＵＨＦ信号）のみを通過させる周波数帯域制限手段である。
【００４４】
また、伝送路Ｄ７１は、入力端子７２から混合部７３に至る伝送路であり、特許請求の範囲における第一の伝送路に対応する。また、伝送路Ｄ７２は、入力端子７１から混合部７３に至る伝送路であり、特許請求の範囲における第二の伝送路に対応する。さらに、伝送路Ｄ７３は、入力端子７１から出力端子７８に至る伝送路であり、特許請求の範囲における第三の伝送路に対応する。また、出力端子７７が接続される伝送路Ｄ７５と伝送路Ｄ７１は、コンデンサＣ７４とチョークコイルＣＣ７３、ＣＣ７４が配置された伝送路Ｄ７６で接続され、出力端子７７から入力した直流電圧は、伝送路Ｄ７６を介して伝送路Ｄ７１へ供給される。
【００４５】
さらには、第一の伝送路である伝送路Ｄ７１と、第二の伝送路である伝送路Ｄ７２とに対して、伝送路Ｄ７４が並列接続されている。この伝送路Ｄ７４は、出力端子７７に入力された電圧を、入力端子７１、７２に伝送可能とするもので、特許請求の範囲における電源供給部に対応する。この伝送路Ｄ７４には、コンデンサＣ７１とチョークコイルＣＣ７１、ＣＣ７２とが図示のように配置されている。このため、ＶＨＦ信号やＵＨＦ信号の如き高周波成分がこの伝送路Ｄ７４に回り込むことを防止でき、信号障害が生じることを防止できる。
【００４６】
さらに、この伝送路Ｄ７４には、切替えスイッチＳＷ１が配置されている。この切替えスイッチＳＷ１は、第二の伝送路である伝送路Ｄ７２に対する伝送路Ｄ７４の接続を切替えることにより、入力端子７１を介して行われるＵＨＦプリアンプ１１への電圧供給のＯＮ／ＯＦＦを切替えるためのもので、特許請求の範囲における電圧供給経路切替え手段に対応する。この切替えスイッチＳＷ１を用いた接続パターンについては後述する。
【００４７】
また、第二の伝送路である伝送路Ｄ７２と、第三の伝送路である伝送路Ｄ７３とは、切替えスイッチＳＷ２を介して接続されている。この切替えスイッチは、これら伝送路Ｄ７２と伝送路Ｄ７３とを相互に切替えることにより、出力端子７７を介して外部に出力される信号を、ＢＳ・ＣＳ信号（個別入力）と、ＶＨＦ・ＵＨＦ／ＢＳ・ＣＳ信号（混合入力）のいずれかに切替えるためのもので、特許請求の範囲における混合経路切替え手段に対応する。出力端子７７からＢＳ・ＣＳ信号のみの出力の時は、出力端子７８からはＶＨＦ・ＵＨＦ信号が出力される。
【００４８】
次に、このように配置された切替えスイッチＳＷ１、ＳＷ２を用いて行われる接続パターンについて説明する。まず、第一の接続パターンについて説明する。この第一の接続パターンは、例えば、図１に示す如き共聴システムや、その他の戸建住戸において、コンバータ１０とＵＨＦプリアンプ１１との両方に電圧を供給したい場合であって、混合入力を行いたい場合に採用される。上記図３に示すように、第一の接続パターンにおいては、切替えスイッチＳＷ１がＯＮされることによって伝送路Ｄ７４が伝送路Ｄ７２に対して接続されると共に、切替えスイッチＳＷ２によって伝送路Ｄ７２が選択される。
【００４９】
この接続パターンにおいては、入力端子７２に入力されＨＰＦ７６を通過したＢＳ・ＣＳ信号と、入力端子７１に入力されＬＰＦ７４を通過したＶＨＦ・ＵＨＦ信号とが混合部７３にて混合されることによってＶＨＦ・ＵＨＦ／ＢＳ・ＣＳ信号が生成され、このＶＨＦ・ＵＨＦ／ＢＳ・ＣＳ信号が出力端子７７に出力される。従って、混合信号を集合住宅の各戸や戸建住戸に供給することができる。このように供給された混合信号は、例えば、集合住宅の各戸や戸建住戸において図示しない分波器を介してＶＨＦ・ＵＨＦ信号とＢＳ・ＣＳ信号とに分波され、このうちのＶＨＦ・ＵＨＦ信号は地上波デジタルチューナ、ＢＳ・ＣＳ信号はＢＳ・ＣＳチューナを経て、それぞれテレビ受像機９に入力されて視聴が行われる。また、ブースタ７やテレビ受像機９から供給された電圧が、出力端子７７に入力され、入力端子７２を介してコンバータ１０に供給されると共に、伝送路Ｄ７４及び入力端子７１を介してＵＨＦプリアンプ１１に供給される。従って、ＵＨＦプリアンプ１１へ電源供給を行うための商用電源や電源供給器が不要になる。
【００５０】
次に、第二の接続パターンについて説明する。この第二の接続パターンは、例えば、図１に示す如き共聴システムや、その他の戸建住戸において、コンバータ１０とＵＨＦプリアンプ１１との両方に電圧を供給したい場合であって、個別入力を行いたい場合に採用される。この第二の接続パターンを、図４に示す。この図４に示すように、第二の接続パターンにおいては、切替えスイッチＳＷ１がＯＮされることによって伝送路Ｄ７４が伝送路Ｄ７２に対して接続されると共に、切替えスイッチＳＷ２によって伝送路Ｄ７３が選択される。
【００５１】
この第二の接続パターンにおいては、入力端子７２に入力されたＢＳ・ＣＳ信号は、ＨＰＦ７６を通過した後、ＶＨＦ・ＵＨＦ信号と混合されることなく個別的に出力端子７７に出力される。また、入力端子７１に入力されたＶＨＦ・ＵＨＦ信号は、ＬＰＦ７５を通過した後、ＢＳ・ＣＳ信号と混合されることなく個別的に出力端子７８に出力される。従って、個別信号を集合住宅の各戸や戸建住宅に供給することができる。このように供給された個別信号は、例えば分波器を介することなくそれぞれ地上波デジタルチューナとＢＳ・ＣＳチューナとに供給され、テレビ受像機９に入力されて視聴が行われる。さらに、ブースタ７やテレビ受像機９から供給された電圧が、出力端子７７に入力され、入力端子７２を介してコンバータ１０に供給されると共に、伝送路Ｄ７４及び入力端子７１を介してＵＨＦプリアンプ１１に供給される。従って、ＵＨＦプリアンプ１１へ電源供給を行うための商用電源や電源供給器が不要になる。
【００５２】
次に、第三の接続パターンについて説明する。この第三の接続パターンは、本実施の形態２に係る混合器７０を分波器として使用するパターンであり、例えば、図示しない混合器にて混合されたＶＨＦ・ＵＨＦ／ＢＳ・ＣＳ信号を、集合住宅の各戸においてＶＨＦ・ＵＨＦ信号やＢＳ・ＣＳ信号に分波したい場合に採用される。この第三の接続パターンを、図５に示す。この第三の接続パターンにおいて、出力端子７７には図示しない分配器、入力端子７２にはＢＳ・ＣＳチューナ、入力端子７１には地上波デジタルチューナがそれぞれ接続される。そして、切替えスイッチＳＷ１がＯＦＦされることによって伝送路Ｄ７４が伝送路Ｄ７２から切り離されると共に、切替えスイッチＳＷ２によって伝送路Ｄ７２が選択される。
【００５３】
この第三の接続パターンにおいては、分配器から出力端子７７に入力されたＶＨＦ・ＵＨＦ／ＢＳ・ＣＳ信号のうち、ＢＳ・ＣＳ信号のみがＨＰＦ７６を通過して入力端子７２に伝送され、ＶＨＦ・ＵＨＦ信号のみがＬＰＦ７４を通過して入力端子７１に伝送される。また、テレビ受像機９から供給され入力端子７２に入力された電圧は、出力端子７７を介してコンバータ１０に供給される。あるいは、この電圧は、その上流側に設置された本発明に係る他の混合器７０を通過して、ＵＨＦプリアンプ１１へ供給される。一方、図５の混合器７０の内部において、この電圧は、切替えスイッチＳＷ１がＯＦＦされていることから、伝送路Ｄ７２には供給されず、入力端子７１に接続された地上波デジタルチューナに入り込むことが防止される。
【００５４】
このように実施の形態２によれば、実施の形態１と同様に効果に加えて、１つの伝送路Ｄ７４を追加するだけでＵＨＦプリアンプ１１に対する電圧供給を行うことができ、混合器７０の構成を一層簡易化することができる。また、切替えスイッチＳＷ１によって、ＵＨＦプリアンプ１１に対する電圧供給の有無を切替えることができるので、混合器７０の使用形態に応じて電圧の供給形態を切替えることができる。さらに、切替えスイッチＳＷ２によって、混合部７３に伝送される信号を、ＢＳ・ＣＳ信号と、ＶＨＦ・ＵＨＦ信号及びＢＳ・ＣＳ信号とのいずれかに切替えることができるので、混合器７０の使用形態に応じて信号の混合形態を切替えることができる。
【００５５】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、設置環境や使用環境によっては混合器６、７０を介してＵＨＦプリアンプ１１等の地上波デジタル受信設備に電源を供給することが困難な場合も考えられるが、少なくとも、特定の環境下においてＵＨＦプリアンプ１１に電源を供給可能である限りにおいて、本発明の課題が達成されている。
【００５７】
（供給電源について）
これまでの説明においては、ＵＨＦプリアンプ１１に供給する電源を直流電圧としたが、ＵＨＦプリアンプ１１の仕様によっては交流電圧を供給してもよく、この場合にはＵＨＦプリアンプ１１として従来と同様の交流駆動タイプのＵＨＦプリアンプを用いることができる。
【００５８】
（電源供給対象について）
これまでの説明においては、混合器６、７０を介して行われる電源供給の対象機器を、コンバータ１０とＵＨＦプリアンプ１１としたが、これに限らず任意の地上波デジタル受信設備を対象として電源供給を行うことができる。
【００５９】
（切替えスイッチについて）
実施の形態２においては、２つの切替えスイッチＳＷ１、ＳＷ２を設けているが、切替えスイッチＳＷ１のみを設けて電源供給経路の切替えのみを行ってもよく、あるいは、切替えスイッチＳＷ２のみを設けて信号混合経路の切替えのみを行ってもよい。また、切替えスイッチＳＷ１を実施の形態１の伝送路に設けることで、ＵＨＦプリアンプ１１に対する電源供給の有無を切替えるようにしてもよい。
【産業上の利用可能性】
【００６０】
地上波デジタル受信設備に対して伝送路を介して電源供給を行うことに有用である。
【図面の簡単な説明】
【００６１】
【図１】本発明の実施の形態１に係る混合器を用いた共聴システムの構成を示す図である。
【図２】図１の混合器のブロック図である。
【図３】実施の形態２に係る混合器の構成及びその第一の接続パターンを示す図である。
【図４】図３の混合器の第二の接続パターンを示す図である。
【図５】図３の混合器の第三の接続パターンを示す図である。
【図６】従来の共聴システムの構成を示す図である。
【図７】従来の電流通過型の混合器の構成を示す図である。
【符号の説明】
【００６２】
１、１００  ＶＨＦアンテナ
２、１０１  ＵＨＦアンテナ
３、１０２  ＢＳ・ＣＳアンテナ
４、１０３  ＶＨＦ・ＵＨＦ混合器（混合器）
５、１０４  ＢＳ・ＣＳプリアンプ
６、７０、１０５  ＶＨＦ・ＵＨＦ／ＢＳ・ＣＳ混合器（混合器）
６１、６２、７１、７２、１０５ａ、１０５ｂ  入力端子
６３、７３、１０５ｆ  混合部
６４、７４、７５、１０５ｄ  ローパスフィルタ（ＬＰＦ）
６５、７６、１０５ｅ  ハイパスフィルタ（ＨＰＦ）
６６、７７、７８、１０５ｃ  出力端子
Ｃ６１〜Ｃ６５、Ｃ７１、Ｃ７２、Ｃ１００〜Ｃ１０３  コンデンサ
ＣＣ６１〜ＣＣ６４、ＣＣ７１、ＣＣ７２、ＣＣ１００、ＣＣ１０１  チョークコイル
Ｄ６１〜Ｄ６５、Ｄ７１〜Ｄ７４、Ｄ１００〜Ｄ１０６  伝送路
ＳＷ１、ＳＷ２  切替えスイッチ
７、１０６  ブースタ
８、１０７  分配器
９、１０８  テレビ受像機
１０  コンバータ
１１  ＵＨＦプリアンプ
【図１】
0004674128.tif 000002
【図２】
0004674128.tif 000003
【図３】
0004674128.tif 000004
【図４】
0004674128.tif 000005
【図５】
0004674128.tif 000006
【図６】
0004674128.tif 000007
【図７】
0004674128.tif 000008